(57)【要約】【課題】細長い横断面溝形部品において少なくとも塗布必要な部分に高粘度物質をむらなく塗布し、また、その高粘度物質の塗布量もコントロールする。【解決手段】内部に混合室２１を備え、そして、細長い横断面溝形部品４０内に長手方向に移動可能に配置されるノズル・ホルダー１１と、その横断面溝形部品４０の内面５０および外面５１において塗布必要な部分５２、５３、５４、５５、５６、５７、５８、５９に向かい合い、そして、その混合室２１に連通されてそのノズル・ホルダー１１に一体的に組み付けられる多数の噴射ノズル１２、１３、１４、１５、１６、１７、１８、１９と、高粘度物質接続口２５および圧縮空気接続口２６を備え、その混合室２１に連通されてそのノズル・ホルダー１１に一体的に結合され、そして、注入ホース３０で高粘度物質圧送ポンプにその高粘度物質接続口２５を、空気ホース３１で空気圧縮機にその圧縮空気接続口２６をそれぞれ接続するホース・コネクター２０とを含む。【選択図】      図２
2005007233.tif 000002
【特許請求の範囲】
【請求項１】
内部に混合室を備え、そして、細長い横断面溝形部品内に長手方向に移動可能に配置されるノズル・ホルダーと、その横断面溝形部品の内面および外面において塗布必要な部分に向かい合い、そして、その混合室に連通されてそのノズル・ホルダーに一体的に組み付けられる多数の噴射ノズルと、高粘度物質接続口および圧縮空気接続口を備え、その混合室に連通されてそのノズル・ホルダーに一体的に結合され、そして、注入ホースで高粘度物質圧送ポンプにその高粘度物質接続口を、空気ホースで空気圧縮機にその圧縮空気接続口をそれぞれ接続するホース・コネクターとを含む多点噴射ノズル型高粘度物質噴霧装置。
【請求項２】
内部に混合室を備え、そして、細長い横断面溝形部品内に長手方向に移動可能に配置されるメイン・ノズル・ホルダーと、内部に混合室を備え、そして、そのメイン・ノズル・ホルダーに一体的に組み付けられてその横断面溝形部品内にその長手方向に移動可能に配置されるサブ・ノズル・ホルダーと、その横断面溝形部品の内面において塗布必要な上下部分に向かい合い、そして、そのメイン・ノズル・ホルダーのその混合室に連通されてそのメイン・ノズル・ホルダーに一体的に組み付けられる複数の縦方向噴射ノズルと、その横断面溝形部品のその内面において塗布必要な左右部分に向かい合い、そして、そのサブ・ノズル・ホルダーのその混合室に連通されてそのサブ・ノズル・ホルダーに一体的に組み付けられる複数の横方向噴射ノズルと、高粘度物質接続口および圧縮空気接続口を備え、そのメイン・ノズル・ホルダーのその混合室に連通されてそのメイン・ノズル・ホルダーに一体的に結合され、そして、注入ホースで高粘度物質圧送ポンプにその高粘度物質接続口を、空気ホースで空気圧縮機にその圧縮空気接続口をそれぞれ接続するホース・コネクターと、別の高粘度物質接続口および圧縮空気接続口を備え、そのサブ・ノズル・ホルダーのその混合室に連通されてそのサブ・ノズル・ホルダーに一体的に結合され、そして、別の注入ホースでその高粘度物質圧送ポンプにその別の高粘度物質接続口を、別の空気ホースでその空気圧縮機にその別の圧縮空気接続口をそれぞれ接続する別のホース・コネクターとを含む多点噴射ノズル型高粘度物質噴霧装置。
【発明の詳細な説明】
【０００１】
【発明の関係する分野】
この発明は、細長い横断面溝形部品の内面にあるいはその横断面溝形部品の内面にも外面にも高粘度物質を塗布する多点噴射ノズル型高粘度物質噴霧装置に関する。
【０００２】
【背景技術】
通常、シート−・トラックでは、固定レールが横断面溝形を採り、そして、一対のリップ付きトップ・フランジで溝の開口幅を限定する構造に成形され、その後に両端にレッグを溶接し、そして、作業者が刷毛を用いてその固定レールのその溝のその開口からその刷毛を入れ、そして、その固定レールの内面および外面にグリースが塗布されて仕上げられるので、塗布むらができ易く、そして、そのグリースの塗布量もその作業者の手先による調整に頼っている。
また、その刷毛塗りでは、その固定レールはその内面に塗布できない部分がある。
【０００３】
【発明の課題】
この発明の課題は、細長い横断面溝形部品において少なくとも塗布必要な部分に高粘度物質をむらなく塗布でき、また、その高粘度物質の塗布量もコントロールできるところの多点噴射ノズル型高粘度物質噴霧装置の提供にある。
【０００４】
【課題に相応する手段およびそれの作用】
この発明は、内部に混合室を備え、そして、細長い横断面溝形部品内に長手方向に移動可能に配置されるノズル・ホルダーと、その横断面溝形部品の内面および外面において塗布必要な部分に向かい合い、そして、その混合室に連通されてそのノズル・ホルダーに一体的に組み付けられる多数の噴射ノズルと、高粘度物質接続口および圧縮空気接続口を備え、その混合室に連通されてそのノズル・ホルダーに一体的に結合され、そして、注入ホースで高粘度物質圧送ポンプにその高粘度物質接続口を、空気ホースで空気圧縮機にその圧縮空気接続口をそれぞれ接続するホース・コネクターとを含み、そして、その横断面溝形部品においてその塗布必要な部分に高粘度物質をむらなく塗布する。その際、この発明は、移動速度あるいは圧縮空気の供給圧でその高粘度物質の塗布量を種々に変えて設定する。また、その高粘度物質の塗布量は、複数の異なる噴口面積の噴射ノズルを用いて設定されてもかまわない。
【０００５】
【具体例の説明】
以下、特定されて図示された具体例に基づいて、この発明の多点噴射ノズル型高粘度物質噴霧装置を説明するに、図１ないし図５は、自動車シートに組み込まれるシート・トラックの固定レール（細長い横断面溝形部品）４０にグリース（高粘度物質）を塗布するところのこの発明の多点噴射ノズル型高粘度物質噴霧装置の具体例１０を示し、そして、その固定レール４０は、鋼板から底壁４１および左右の側壁４２、４３に折り曲げる横断面溝形を採り、そしてさらにその左右の側壁４２、４３のそれぞれにリップ付きトップ・フランジ４４、４５を折り曲げてその一対のリップ付きトップ・フランジ４４、４５で溝４８の開口４９の開口幅を決定する構造に成形される。
【０００６】
その多点噴射ノズル型高粘度物質噴霧装置１０では、ノズル・ホルダー１１が、内部に混合室２１を備えて逆Ｔ字形に作られ、その固定レール４０にはめ合わせられてその固定レール４０に長手方向に移動可能にする状態に配置され、そして、油圧シリンダ（図示せず）に支持されてその油圧シリンダでその固定レール４０に長手方向に移動され、また、多数の噴射ノズル１２、１３、１４、１５、１６、１７および１８、１９が、その固定レール４０の内面５０および外面５１において塗布必要な部分５２、５３、５４、５５、５６、５７および５８、５９に向かい合い、そして、その混合室２１に連通されてそのノズル・ホルダー１１に一体的にねじ結合され、さらに、ホース・コネクター２０が、グリース接続口２５および圧縮空気接続口２６を備え、その混合室２１に連通されてそのノズル・ホルダー１１に一体的にねじ結合され、そして、注入ホース３０でグリース圧送ポンプ（図示せず）にそのグリース接続口２５を、空気ホース３１で空気圧縮機（図示せず）にその圧縮空気接続口２６をそれぞれ接続する。
【０００７】
そのホース・コネクター２０は、Ｔ字形継手構造に鋳造され、隔壁２７で内部通路を油通路２８および空気通路２９に仕切り、そして、その２つの入口側継手端２２、２３をそのグリース接続口２５および圧縮空気接続口２６に用い、また、１つの出口側継手端２４をそのノズル・ホルダー１１にねじ結合する。
【０００８】
そのグリース圧送ポンプおよび空気圧縮機は、コントローラ（図示せず）で運転制御される。
【０００９】
この多点噴射ノズル型高粘度物質噴霧装置１０は、その固定レール４０が前端にフロント・レッグ６０を、後端にリア・レッグ６１をそれぞれ溶接して塗布設備（図示せず）上の治具（図示せず）にセットされてからその固定レールにはめ合わせられてその油圧シリンダでその長手方向に移動され、そして同時的にグリースがその注入ホース３０およびホース・コネクター２０を経てそのグリース圧送ポンプからそのノズル・ホルダ１１の混合室２１に、圧縮空気がその空気ホース３１およびホース・コネクター２０を経てその空気圧縮機からそのノズル・ホルダー１１のその混合室２１にそれぞれ供給されてそのグリースおよび圧縮空気がその混合室２１の中で混合されるので、その噴射ノズル１２、１３、１４、１５、１６、１７、および１８、１９からそのグリースを噴霧してその固定レール４０のその内面５０および外面５１においてその塗布必要な部分５２、５３、５４、５５、５６、５７、および５８、５９にそのグリースをむらなく塗布する。そこでは、そのグリースの塗布量はそのノズル・ホルダー１１の移動速度で設定された。勿論、そのグリースの塗布量は圧縮空気の供給圧で設定されてもかまわない。さらには、そのグリースの塗布量はその塗布必要な部分５２、５３、５４、５５、５６、５７、および５８、５９に対応して複数の異なる噴口面積の噴射ノズルを用いて設定されてもかまわない。
【００１０】
図６および図７は、さらに改善されてその自動車シートに組み込まれるそのシート・トラックのその固定レール４０にグリースを塗布するところのこの発明の多点噴射ノズル型高粘度物質噴霧装置の具体例７０を示し、そして、この多点噴射ノズル型高粘度物質噴霧装置７０では、メイン・ノズル・ホルダー７１が、内部に混合室（図示せず）を備えてブロック形に作られ、その固定レール４０内にはめ込まれてその固定レール４０に長手方向に移動可能にする状態に配置され、そして、油圧シリンダ（図示せず）に支持されてその油圧シリンダでその固定レール４０内にその長手方向に移動され、また、サブ・ノズル・ホルダー７２が、内部に混合室（図示せず）を備えてブロック形に作られ、そのメイン・ノズル・ホルダー７１に一体的に組み付けられてそのメイン・ノズル・ホルダー７１に支持され、そして、その固定レール４０内にはめ込まれてその固定レール４０にその長手方向に移動可能に配置され、さらに、複数の縦方向噴射ノズル７３、７４、７５、７６が、その固定レール４０の内面５０において塗布必要な上下部分５２、５３、５４、５５に向かい合い、そして、そのメイン・ノズル・ホルダー７１のその混合室に連通されてそのメイン・ノズル・ホルダー７１に一体的に組み付けられ、またさらに、複数の横方向噴射ノズル７７、７８が、その固定レール４０の内面５０において塗布必要な左右部分５６、５７に向かい合い、そして、そのサブ・ノズル・ホルダー７２のその混合室に連通されてそのサブ・ノズル・ホルダー７２に一体的に組み付けられ、さらには、ホース・コネクター７９が、グリース接続口８１および圧縮空気接続口８２を備え、そのメイン・ノズル・ホルダー７１のその混合室に連通されてそのメイン・ノズル・ホルダー７１に一体的にねじ結合され、そして、注入ホース８５でグリース圧送ポンプ（図示せず）にそのグリース接続口８１を、空気ホース８６で空気圧縮機（図示せず）にその圧縮空気接続口８２をそれぞれ接続し、またさらには、別のホース・コネクター８０が、別のグリース接続口８３および圧縮空気接続口８４を備え、そのサブ・ノズル・ホルダー７２のその混合室に連通されてそのサブ・ノズル・ホルダー７２に一体的にねじ結合され、そして、別の注入ホース８７でそのグリース圧送ポンプにその別のグリース接続口８３を、別の空気ホース８８でその空気圧縮機にその別の圧縮空気接続口８４をそれぞれ接続する。
【００１１】
そのメイン・ノズル・ホルダー７１のその混合室は、その前述された多点噴射ノズル型高粘度物質噴霧装置１０に用いられたところのそのノズル・ホルダー１１に同様にそのメイン・ノズル・ホルダー７１の内部を、そのサブ・ノズル・ホルダー７２のその混合室は、そのノズル・ホルダー１１に同様にそのサブ・ノズル・ホルダー７２の内部をそれぞれくりぬいて形成される。
【００１２】
そのホース・コネクター７９およびその別のホース・コネクター８０は、前述された多点噴射ノズル型高粘度物質噴霧装置１０に用いられたところのそのホース・コネクター２０と同様の構造に作られている。また、そのグリース圧送ポンプもその空気圧縮機もその前述された多点噴射ノズル型高粘度物質噴霧装置１０に用いたれたところのそのグリース圧送ポンプおよび空気圧縮機と同様にコントローラ（図示せず）で運転制御される。
【００１３】
この多点噴射ノズル型高粘度物質噴霧装置もその前述された多点噴射ノズル型高粘度物質噴霧装置１０と同様にその固定レール４０の内面５０においてその塗布必要な部分５２、５３、５４、５５、および５６、５７にグリースをむらなく塗布する。
【００１４】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【００１５】
【発明の便益】
上述から理解されるように、この発明の多点噴射ノズル型高粘度物質噴霧装置は、内部に混合室を備え、そして、細長い横断面溝形部品内に長手方向に移動可能に配置されるノズル・ホルダーと、その横断面溝形部品の内面および外面において塗布必要な部分に向かい合い、そして、その混合室に連通されてそのノズル・ホルダーに一体的に組み付けられる多数の噴射ノズルと、高粘度物質接続口および圧縮空気接続口を備え、その混合室に連通されてそのノズル・ホルダーに一体的に結合され、そして、注入ホースで高粘度物質圧送ポンプにその高粘度物質接続口を、空気ホースで空気圧縮機にその圧縮空気接続口をそれぞれ接続するホース・コネクターとを含むので、この発明の多点噴射ノズル型高粘度物質噴霧装置では、高粘度物質が、その細長い横断面溝形部品において少なくとも塗布必要な部分にむらなく塗布でき、また、その高粘度物質の塗布量が、移動速度や圧縮空気の供給圧などを変えて設定できて容易にコントロールでき、その結果、自動車シートに組み込まれるシート・トラックの固定レールや自動車のフロアに据え付けられるロング・レールなどにとって非常に有用で実用的である。
【図面の簡単な説明】
【図１】この発明の多点噴射ノズル型高粘度物質噴霧装置の具体例によってグリースが塗布されるところの自動車シートに組み込むシート・トラックの固定レールを示した斜視図である。
【図２】この発明の多点噴射ノズル型高粘度物質噴霧装置の具体例を部分的に示した斜視図である。
【図３】その固定レールにグリースを塗布するその噴霧装置を部分的に示した正面図である。
【図４】ノズル・ホルダーを断面して示した縦断面図である。
【図５】ホース・コネクターを断面して示した縦断面図である。
【図６】さらに改善されてその固定レールにグリースを塗布可能にするところのこの発明の多点噴射ノズル型高粘度物質噴霧装置の具体例を部分的に示した斜視図である。
【図７】その固定レールにグリースを塗布するその噴霧装置を部分的に示した正面図である。
【符号の説明】
１０  多点噴霧ノズル型高粘度物質噴霧装置
１１  ノズル・ホルダー
１２  噴射ノズル
１３  噴射ノズル
１４  噴射ノズル
１５  噴射ノズル
１６  噴射ノズル
１７  噴射ノズル
１８  噴射ノズル
１９  噴射ノズル
２０  ホース・コネクター
２１  混合室
２５  グリース接続口
２６  圧縮空気接続口
２７  隔壁
２８  油通路
２９  空気通路
３０  注入ホース
３１  空気ホース
４０  細長い横断面溝形部品／固定レール
４１  底壁
４２  左の側壁
４３  右の側壁
４４  リップ付きトップ・フランジ
４５  リップ付きトップ・フランジ
４６  リップ
４７  リップ
４８  溝
４９  開口
５０  内面
５１  外面
５２  塗布必要な部分
５３  塗布必要な部分
５４  塗布必要な部分
５５  塗布必要な部分
５６  塗布必要な部分
５７  塗布必要な部分
５８  塗布必要な部分
５９  塗布必要な部分
７０  多点噴射ノズル型高粘度物質噴霧装置
７１  メイン・ノズル・ホルダー
７２  サブ・ノズル・ホルダー
７３  縦方向噴射ノズル
７４  縦方向噴射ノズル
７５  縦方向噴射ノズル
７６  縦方向噴射ノズル
７７  横方向噴射ノズル
７８  横方向噴射ノズル
７９  ホース・コネクター
８０  別のホース・コネクター
８１  グリース接続口
８２  圧縮空気接続口
８３  別のグリース接続口
８４  別の圧縮空気接続口
【図１】
2005007233.tif 000003
【図２】
2005007233.tif 000004
【図３】
2005007233.tif 000005
【図４】
2005007233.tif 000006
【図５】
2005007233.tif 000007
【図６】
2005007233.tif 000008
【図７】
2005007233.tif 000009